(57)【要約】【課題】ブロック壁に設ける透かし孔の形状および寸法を比較的自由に設定できるようにし、かつ鉄筋配置用の凹溝空間を広くして太い鉄筋の使用を可能にし、もってブロック壁の意匠性を高め、構造耐力や耐久性を向上する。【解決手段】上下左右の端面中いずれか一の水平端面の中央部に１個の切り欠き部１６ａが前面から背面にまたがって溝状に形成され、この切り欠き部１６ａが形成された端面を除く残りの垂直端面および水平端面にそれぞれ縦筋Ｔおよび横筋Ｗを配置するための凹溝が形成された切り欠き付きコンクリートブロック１０、１０Ａを、切り欠き部１６ａが上下に対向するように配置して壁面に透かし孔１６ｂを形成する。【選択図】      図２
2006090056.tif 000002
【特許請求の範囲】
【請求項１】
縦、横、厚さの互いに等しい多数個の建築用コンクリートブロックを、目地モルタルを介して組積みし、上記コンクリートブロックの任意個数ごとの垂直端面間および水平端面間にそれぞれ縦筋および横筋を配し、縦筋および横筋の周囲にモルタルを充填してなる壁構造において、上記壁構造の少なくとも一部に、あらかじめ上記コンクリートブロックの上記垂直端面および水平端面からなる外周面の一部に厚さ方向にまたがる切り欠き部を、また他部に配筋用の凹溝をそれぞれ形成した２個ないし４個の切り欠き付きコンクリートブロックが上記の切り欠き部で対向するようにまとめて配置され、上記の２個ないし４個の切り欠き付きコンクリートブロックの切り欠き部が互いに合体して透かし孔を形成していることを特徴とするブロック製壁構造。
【請求項２】
切り欠き付きコンクリートブロックが上下左右の端面中いずれか一の端面の中央部に切り欠き部を溝状に形成したものであり、この切り欠き付きコンクリートブロックの２個が上記の切り欠き部を対向させるように組積みされている請求項１記載のブロック製壁構造。
【請求項３】
切り欠き付きコンクリートブロックが上下左右の端面中いずれか一の水平端面と垂直端面とが交差する隅部に該隅部を除去する形の切り欠き部を平面状、曲面状もしくは溝状に形成したものであり、この切り欠き付きコンクリートブロックの４個が上記の切り欠き部を突き合せるように組積みされている請求項１記載のブロック製壁構造。
【発明の詳細な説明】
【技術分野】
【０００１】
この発明は、建築用コンクリートブロックを組積みした壁構造に関し、建物の壁、間仕切り、手摺壁および塀等の建設に用いて上記の壁等に透かし孔を形成し、光や風を通したり、水道、電気等の各種配管を挿通したりするのを可能にする。
【背景技術】
【０００２】
壁や塀に透かし孔を形成するためのコンクリートブロックとして、四角形の環状に形成され、その上下左右の端面中、上下の端面の一方と左右の端面の一方とに鉄筋配置用の凹溝をそれぞれ形成し、残り２方向の端面をそれぞれ平坦に形成したものが下記の特許文献１によって知られている。このコンクリートブロックは、１個のコンクリートブロックの中央部に前後方向の貫通孔を有するので、この貫通孔を光や風または各種配管を通すのに使用することができ、また組積みの際は２方向の端面に形成した凹溝を利用して鉄筋を配置することができる。
【特許文献１】特許第３２９２７００号公報
【０００３】
しかしながら、上記のコンクリートブロックは、直方体形状のコンクリートブロックの中央部に前後方向の貫通孔すなわち透かし孔を形成したものであるから、透かし孔の形状および寸法が限定され、また組積み時に鉄筋を配しモルタルを充填すべき空間が狭くなるため、太い径の鉄筋使用が困難となり、かつ鉄筋を包むモルタルの厚みが薄くなって上記壁等の耐久性や構造耐力が不十分になり、これを避けるためには上記透かし孔を備えたコンクリートブロックの配置を減らさなければならない等の問題があった。
【０００４】
また、下記の特許文献２には、ブロックの外形を「凸」字形に形成し、その外周面の全域に縦方向または横方向の凹溝を形成し、かつ上記「凸」字の凸部およびその左右にそれぞれ上下方向の貫通孔を形成し、組積みの際、その中央凸部を上下に突き合せることにより、上記中央凸部の両側に前後方向の透かし孔を形成し、上下方向の貫通孔にも鉄筋を配置できるようにしたものが記載されている。このブロックは、上記「凸」字の凸部にも鉄筋を縦に通すことができるので、構造耐力が向上するが、この場合は、縦筋の立設後に組積みすることができず、組積み後に上から鉄筋を挿入する必要が生じて組積み作業が困難になり、かつ透かし孔の形状と大きさも限定され、意匠的変化が乏しくなる等の問題があった。
【特許文献２】特開平９−７８７２３号公報
【発明の開示】
【発明が解決しようとする課題】
【０００５】
この発明は、透かし孔の形状および寸法を比較的自由に設定できるようにし、かつ鉄筋配置用の凹溝空間を広くして充填モルタル量を多くし、鉄筋の被覆モルタルを厚くすることや太い鉄筋の使用を可能にし、もって組積みで得られる壁等の意匠性を高め、かつ耐久性や構造耐力の向上を可能にするものである。
【課題を解決するための手段】
【０００６】
請求項１に係る発明は、縦、横、厚さの互いに等しい多数個の建築用コンクリートブロックを、目地モルタルを介して組積みし、上記コンクリートブロックの任意個数ごとの垂直端面間および水平端面間にそれぞれ縦筋および横筋を配し、縦筋および横筋の周囲にモルタルを充填してなる壁構造において、上記壁構造の少なくとも一部に、あらかじめ上記コンクリートブロックの上記垂直端面および水平端面からなる外周面の一部に厚さ方向にまたがる切り欠き部を、また他部に配筋用の凹溝をそれぞれ形成した２個ないし４個の切り欠き付きコンクリートブロックが上記の切り欠き部で対向するようにまとめて配置され、上記の２個ないし４個の切り欠き付きコンクリートブロックの切り欠き部が互いに合体して透かし孔を形成していることを特徴とするブロック製壁構造である。
【０００７】
建築用コンクリートブロックは、一般的に長方形もしくは正方形の前面、背面および上下左右の端面で囲まれた直方体の外形を備えており、その縦、横、厚さの寸法が等しいものを多数個、縦横に積み重ねて壁や塀等に形成される。その際、上下に隣接する２個のコンクリートブロックの水平端面および左右に隣接する２個のコンクリートブロックの垂直端面は、それぞれ互いに目地モルタルで接着され、また水平端面に形成された横方向の凹溝には横筋が、垂直端面に形成された垂直方向の凹溝には縦筋がそれぞれ所定間隔で配置されると共に、横筋および縦筋の周囲にモルタルが充填される。なお、上記の建築用コンクリートブロックは、表面に割れ肌や研磨、ショットブラスト等の加工を施した化粧コンクリートブロックとすることができる。
【０００８】
この発明で用いる切り欠き付きコンクリートブロックは、コンクリートブロックの垂直端面および水平端面からなる外周面の一部に厚さ方向にまたがる切り欠き部を形成したものであるが、この切り欠き部は、垂直端面または水平端面の中央部に設けることができ、また垂直端面および水平端面の交差する隅部を除去する形に設けることができる。換言すれば、隣接する垂直端面および水平端面にまたがって設けることができる。また、上記の切り欠き部を垂直端面または水平端面の中央部に設ける場合、その形状は溝状であれば任意であり、半円形、半楕円形、三角形、角形等を選択できる。一方、隅部に設ける場合は、隅の角を除去でき、隅に空間ができる形であれば任意であり、平坦面、凸形の曲面、凹形の曲面、鉤形屈曲面等を選択することができる。
【０００９】
例えば、水平端面または垂直端面の中央部に切り欠き部を形成した２個の建築用コンクリートブロックを、その切り欠き部が目地を挟んで対向するように並べると、一方の切り欠き部と他方の切り欠き部とが合体し、大きな透かし孔が形成される。また、隅部に切り欠き部を形成した４個の建築用コンクリートブロックを、その切り欠き部が突き合うように上下２段、左右２列に集めて並べると、４個の切り欠き部が互いに合体し、大きな透かし孔が形成される。また、水平端面の中央部に切り欠き部を形成したコンクリートブロック１個と、隅部に切り欠き部を形成した２個の建築用コンクリートブロックを３個の切り欠き部が突きあうように「Π」字形に並べると、水平端面中央部の切り欠き部と隅部の切り欠き部２個とが合体し、大きな透かし孔が形成される。すなわち、２個ないし４個のコンクリートブロックの配列部中央に２個ないし４個の切り欠き部からなる大きな透かし孔が形成される。
【００１０】
上記の切り欠き付きコンクリートブロックは、これのみを用いて壁を建設し、壁の全面に透かし孔を形成することもできるが、上記の切り欠き付きコンクリートブロックと縦、横、厚さが等しく、切り欠き部を有しない点のみが異なる通常のコンクリートブロックと混用して壁を建設し、壁の一部に透かし孔を形成することもできる。
【００１１】
そして、上記の切り欠き付きコンクリートブロックは、垂直端面および水平端面からなる外周面の一部に厚さ方向にまたがる切り欠き部を形成し、残りの端面に配筋用の凹溝を形成したものであるから、コンクリートブロックの中央部に透かし孔を形成した場合に比して、端面に設ける配筋用凹溝を深く、広く形成することができ、そのため鉄筋を包むモルタルの厚み確保が可能になり、また太い鉄筋の使用が可能になり、壁体の耐久性や構造耐力が向上する。なお、上記の切り欠き付きコンクリートブロックからなる壁構造において、切り欠き部が垂直端面に形成されたものを用いる場合、その組積み形態は、芋積みおよび千鳥積みのいずれでも可能であるが、切り欠き部が水平端面に形成された場合および隅部に形成された場合は、上下方向の目地線が連続する芋積みが採用される。
【００１２】
特に水平端面の中央に２個以上の切り欠き部が形成されている場合は、２個の等しいコンクリートブロックを上下に並べ、上のコンクリートブロックの切り欠き部を下に向け、下のコンクリートブロックの切り欠き部を上に向けることにより、上記の水平端面に沿って複数個の透かし孔が上下対称に形成される。また、垂直端面の中央に２個以上の切り欠き部が形成されている場合は、２個の等しいコンクリートブロックを左右に並べ、左のコンクリートブロックの切り欠き部を右に向け、右のコンクリートブロックの切り欠き部を左に向けることにより、上記の垂直端面に沿って複数個の透かし孔が左右対称に形成される。
【００１３】
上記の切り欠き付きコンクリートブロックは、垂直端面または水平端面の中央部に１個または２個以上の切り欠き部を形成したものを２個用いて透かし孔を形成する場合、必ずしも２個の等しいコンクリートブロックを用いる必要はなく、切り欠き部の位置、個数、形状等の異なるものを用いることもできる。ただし、これらの等しいものを用いることにより、組積みに際し、一方の向きを反対にするだけで組積みが可能になり、かつ切り欠き部の２倍の断面積をもち、２個の切り欠き部の隣接部にずれの無い、整った透かし孔が得られる。
【００１４】
また、上記の切り欠き付き建築用コンクリートブロックは、その切り欠き部を隅部に形成した場合、切り欠き部の位置が右下のもの、左下のもの、右上のもの、および左上のものの合計４個を、順に左上、右上、左下および右下に並べ、上記の切り欠き部を４個のコンクリートブロックの中心に位置させると、４個の切り欠き部が合体して１個の透かし孔が形成される。例えば、切り欠き部が垂直端面および水平端面にまたがる平坦面に形成されている場合は、菱形断面の透かし孔が形成され、切り欠き部が四分円弧に形成されている場合は、円形断面の透かし孔が形成される。
【００１５】
上記の切り欠き付きコンクリートブロックは、壁の建設に際し、必ずしも４個の等しいコンクリートブロックを用いる必要はなく、切り欠きが水平端面および垂直端面を横切る位置、形状等の異なるものを用いることもできるが、これらが等しいものを用いた場合は、４個の切り欠き部の隣接部にずれが無く、断面形状の整った透かし孔が形成される。
【００１６】
ただし、４個のコンクリートブロック中、斜めに並ぶ２個は、等しい形状のものの向きを変えるだけでよいが、隣接するコンクリートブロックは裏返す必要があるため、コンクリートブロックの前面および背面の仕上げが異なる場合は、２種類のコンクリートブロックが必要になる。一方、切り欠き部が水平端面および垂直端面を横切る位置および形状が等しく、かつ前面および背面の仕上げが等しいものを用いた場合は、一のコンクリートブロックに対し、左右および上下に隣接するコンクリートブロックは表裏を反転し、かつ向きを変えることにより、また斜めに位置するコンクリートブロックは、向きのみを変えることにより、４個の切り欠き部の隣接部にずれの無い、断面形状の整った透かし孔が形成される。
【発明の効果】
【００１７】
請求項１に係る壁構造は、その建設に際し、あらかじめ外周面の一部に厚さ方向にまたがる切り欠き部を、また他部に配筋用の凹溝をそれぞれ形成した２個ないし４個の切り欠き付きコンクリートブロックを用い、上記切り欠き部の合体により壁面に透かし孔を形成したものであるから、透かし孔を大きく、また種々の形状に形成することができ、意匠性が向上する。また、配筋用の凹溝を広くできるため、鉄筋を包むモルタル量を多くして厚みを増し、また太い鉄筋を使用することが可能になり、壁構造の耐久性および構造耐力が向上する。
【００１８】
請求項２に係る壁構造は、上下左右の端面中、一の端面の中央部に切り欠き部を溝状に形成したものであるから、一種類のコンクリートブロックを２個用い、一方の上下または左右の向きを反対にするだけで組積みして透かし孔を形成することができ、２種類の切り欠き付きコンクリートブロックを用意する必要がない。
【００１９】
請求項３に係る壁構造は、４個のコンクリートブロックを上下２段、左右２列に並べて配置し、その際、その切り欠き部の形成された隅部が突き合うように配置することにより、４個の切り欠きを合体させて大きな透かし孔を形成することができる。
【発明を実施するための最良の形態】
【００２０】
実施形態１
図１は、請求項１に係る建築用コンクリートブロック１０の一例を示し、（ａ）は一部を破砕した正面図、（ｂ）はその右側面図である。この建築用コンクリートブロック１０は、前面１１、背面１２、左側面（垂直端面）１３、右側面（垂直端面）１４、上面（水平端面）１５および底面（水平端面）１６からなり、ほぼ直方体の輪郭を備えている。そして、底面（水平端面）１６の中央部に前後方向の切り欠き部１６ａが断面角形の溝状に凹設され、左側面（垂直端面）１３に縦筋配置用の凹溝１３ａが、右側面（垂直端面）１４に縦筋配置用の凹溝１４ａが、また上面（水平端面）１５に横筋配置用の凹溝１５ａがそれぞれ同じ半円形の断面形状に凹設される。
【００２１】
図２は、上記図１の建築用コンクリートブロック１０を用いた壁構造の一例を示し、１０は上記図１の切り欠き付きコンクリートブロックであり、１０Ａは上記の切り欠き付き建築用コンクリートブロック１０を逆さに向けたものであり、このコンクリートブロック１０および１０Ａの合せ部に上下２個の切り欠き部１６ａによって大きな透かし孔１６ｂが形成される。そして、上記２個の切り欠き部付き建築用コンクリートブロック１０、１０Ａの周囲には、この切り欠き付き建築用コンクリートブロック１０、１０Ａと縦、横、厚さの寸法が同じで、切り欠き部１６ａを有しない通常型建築用コンクリートブロック１７が芋積みされる。
【００２２】
上記の通常型建築用コンクリートブロック１７および切り欠き付き建築用コンクリートブロック１０、１０Ａは、常法にしたがって縦横の目地モルタル１８を介して芋積みされ、あらかじめ立設された縦筋Ｔが上記コンクリートブロック１０、１０Ａまたは１７の隣接部の縦筋配置用凹溝１４ａに挿通され、かつ上記のコンクリートブロック１０、１０Ａまたは１７の隣接部の横筋配置用凹溝１５ａには横筋Ｗが挿入される。ただし、この横筋Ｗは、切り欠き付き建築用コンクリートブロック１０、１０Ａの合せ部を避けて、２段ごとに配筋される。そして、組積み完了後、上記縦筋Ｔおよび横筋Ｗが通された凹溝１４ａ、１５ａにコンクリートが充填される。
【００２３】
実施形態２
前記の図２は、図１の切り欠き付き建築用コンクリートブロック１０を壁構造の一部に用いた例であるが、図３は、上記図１の切り欠き付き建築用コンクリートブロック１０のみからなる壁構造を示し、一段目には、切り欠き部を上面に形成したコンクリートブロック１０Ａのみが並べられ、２段目には、切り欠き部を下面に形成したコンクリートブロック１０のみが並べられ、以下その繰返しにより壁面全域に透かし孔１６ｂが形成される。
【００２４】
実施形態３
図４は、請求項３に係る建築用コンクリートブロック２０の一例を示し、（ａ）は一部を破砕した正面図、（ｂ）はその右側面図である。この建築用コンクリートブロック２０は、前面２１、背面２２、左側面（垂直端面）２３、右側面（垂直端面）２４、上面（水平端面）２５および底面（水平端面）２６からなり、ほぼ直方体の輪郭を備えている。そして、右下の隅部に底面（水平端面）２６から右側面（垂直端面）にまたがって傾斜する平面状の切り欠き部２７が形成され、左側面（垂直端面）２３に縦筋配置用の凹溝２３ａが、また上面（水平端面）２５に横筋配置用の凹溝２５ａがそれぞれ同じ半円形の断面形状に凹設される。
【００２５】
図５は、上記図４の建築用コンクリートブロック２０を用いた壁構造の一例を示し、左上に位置するコンクリートブロック２０は、上記図４のものと同様に右下に切り欠き部２７を備えており、右上に位置する切り欠き付きコンクリートブロック２０Ａは左下に切り欠き部を左上のものと対称的に備え、左下に位置する切り欠き付きコンクリートブロック２０Ｂは右上に切り欠き部を左上のものと対称的に備え、右下に位置する切り欠き付きコンクリートブロック２０Ｃは左上に切り欠き部を右上のものと対称的に備え、これら４個のコンクリートブロック２０、２０Ａ、２０Ｂおよび２０Ｃの切り欠き部によって菱形の透かし孔２７ａが形成される。
【００２６】
すなわち、図５の右上および左下に位置するコンクリートブロック２０Ａ、２０Ｂは、左上のコンクリートブロック２０を裏返した形であり、また右下のコンクリートブロック２０Ｃは、左上のコンクリートブロック２０を右または左へ１８０度回転した形である。したがって、図４において、前面２１および背面２２が同じ仕上げの場合は、４個の等しいコンクリートブロック２０を用いて上記図５の透かし孔２７ａを作ることができる。また、前面２１および背面２２の仕上げが異なる場合は、２種類のコンクリートブロックを用いて上記の透かし孔２７ａを作ることができる。
【００２７】
そして、上記４個一組のコンクリートブロック２０、２０Ａ、２０Ｂおよび２０Ｃを上下左右に芋積みして壁面を構築することにより、壁面全域に透かし孔２７ａが形成される。また、上記のコンクリートブロック２０と縦、横、厚さが同じで、切り欠き部を有しない通常型のコンクリートブロックを併用し、この通常型コンクリートブロックからなる壁面の一部に上記４個一組のコンクリートブロック２０、２０Ａ、２０Ｂおよび２０Ｃを配置することにより、上記の透かし孔２７ａを壁面の一部に作ることができる。
【００２８】
なお、上記の通常型建築用コンクリートブロックおよび切り欠き付き建築用コンクリートブロック２０、２０Ａ、２０Ｂおよび２０Ｃは、常法にしたがって縦横の目地モルタルを介して芋積みされ、縦筋および横筋は、上記の透かし孔２７ａを横切らないように、２列または２段ごとに配筋され、組積み後にコンクリートが充填される。
【図面の簡単な説明】
【００２９】
【図１】実施形態１のコンクリートブロックの正面図と側面図である。
【図２】図１のコンクリートブロックを用いた組積み状態の正面図である。
【図３】他の組積み状態の正面図である。
【図４】実施形態２のコンクリートブロックの正面図と側面図である。
【図５】図４のコンクリートブロックを用いた組積み状態の正面図である。
【符号の説明】
【００３０】
１０，１０Ａ、１７、２０、２０Ａ、２０Ｂ、２０Ｃ：建築用コンクリートブロック
１１、２１：前面
１２、２２：背面
１３、２３：左側面（垂直端面）
１４、２４：右側面（垂直端面）
１５、２５：上面（水平端面）
１６、２６：底面（水平端面）
１３ａ、１４ａ、１５ａ、２３ａ、２５ａ：凹溝
１６ａ：切り欠き部、１６ｂ：透かし孔
１８：目地モルタル
２７：切り欠き部、２７ａ：透かし孔
Ｔ：縦筋、Ｗ：横筋
【図１】
2006090056.tif 000003
【図２】
2006090056.tif 000004
【図３】
2006090056.tif 000005
【図４】
2006090056.tif 000006
【図５】
2006090056.tif 000007